(57)【要約】      （修正有）【課題】装着する必要がなく簡単な構成で安価に作製でき、飛沫感染対策も十分に行うことが可能な折畳み式飛沫防止マウスシールドを提供する。【解決手段】飛沫防止マウスシールド１は、縦方向の第１の面および第２の面が二つ折りに形成されたシールド面３１と、シールド面の下部から横方向に広がるように形成された下面３３とを備え、シールド面と下面とによって使用者の口部付近を覆う立体的形状が形成され、下面は、その中央部に折り目が形成されていることによって、下面を第１および第２の面の間に挟み込むようにして全体を折り畳むことができる。【選択図】図１
0003231147.tif 000002
【実用新案登録請求の範囲】
【請求項１】
縦方向の第１の面および第２の面が二つ折りに形成されシールド面と、
そのシールド面の下部から横方向に広がるように形成された下面と、
を備え、シールド面と下面とによって使用者の口部付近を覆う立体的形状が形成される飛沫防止マウスシールドにおいて、
前記下面は、その中央部に折り目が形成されていることによって、前記下面を第１および第２の面の間に挟み込むようにしてマウスシールド全体を折り畳むことができるようになっていることを特徴とする、飛沫防止マウスシールド。
【請求項２】
組立て時に、前記第１の面と第２の面とが略直角に交差し、
前記折れ線は、前記下面の縁側から、第１および第２の面の交点に向かって延びている、請求項1に記載の飛沫防止マウスシールド。
【請求項３】
第１の面および第２の面は、その上隅部がなだらかな曲線形状に形成されている、請求項１または２に記載の飛沫防止マウスシールド。
【請求項４】
前記下面には、当該下面が使用者の顎部に当たらないように、なだらかな曲線形状凹部が設けられている、請求項１〜３のいずれか一項に記載の飛沫防止マウスシールド。
【請求項５】
前記シールド面の高さが５０ｍｍ〜８０ｍｍの範囲内である、請求項１〜４のいずれか一項に記載の飛沫防止マウスシールド。
【請求項６】
１枚の紙材を折り曲げて形成される、飛沫防止マウスシールド。
【考案の詳細な説明】
【技術分野】
【０００１】
本考案は飛沫の拡散を防止するマウスシールドに関する。
【背景技術】
【０００２】
新型コロナウィルスの感染拡大防止等のために、近年、マスクの着用や手洗いの励行、ソーシャルディスタンスの確保が重要視されるとともに、使用者の顔面を覆うフェースシールドやマウスシールド等も広く利用されるようになってきている。
【０００３】
飲食時におけるコロナウィルス感染防止策として、（１）テーブルのパーティションを設置する、（２）客どうしのスペースを十分に確保する、（３）食事中の会話はできるだけ控えるといったことが推奨されている。さらに、より効果的な措置として、飲食以外のときはマスクをつけて会話を楽しむこと等も推奨されるようになってきている。
【０００４】
特許文献１には、１枚のシートから作られ、食事時に着用することでマスクをしたままの状態でも飲食が可能なマウスシールド（マスク）が開示されている。
【先行技術文献】
【特許文献】
【０００５】
【特許文献１】実登３２２８３０４
【考案の概要】
【考案が解決しようとする課題】
【０００６】
特に飲食店のような場所で使用されるマウスシールドは使い捨てであることが十分な感染防止の観点からは望ましく、安価かつ簡単な形状であることが好ましい。特許文献１のようなマウスシールドであってもこうした目的は達成されるとも思われるが、食事中終始マウスシールドを着用することに抵抗感を感じる使用者も居るものと想定される。
【０００７】
そこで本考案の目的は、使用者に装着する必要がなく簡単な構成で安価に作製でき、飛沫感染対策も十分に行うことが可能な折畳み式飛沫防止マウスシールドを提供することにある。
【課題を解決するための手段】
【０００８】
上記目的を達成するため、本考案の一形態に係る考案は下記の通りである：
縦方向の第１の面および第２の面が二つ折りに形成されシールド面と、
そのシールド面の下部から横方向に広がるように形成された下面と、
を備え、シールド面と下面とによって使用者の口部付近を覆う立体的形状が形成される飛沫防止マウスシールドにおいて、
前記下面は、その中央部に折り目が形成されていることによって、前記下面を第１および第２の面の間に挟み込むようにしてマウスシールド全体を折り畳むことができるようになっていることを特徴とする、飛沫防止マウスシールド。
【０００９】
このように構成された飛沫防止マウスシールドによれば、その一部を手でつまんでシールドを持ち口元を覆うことで、顔面や頭部への装着を必要とせずに、飛沫感染対策を行うことができる。この折畳み式飛沫防止マウスシールドは、一枚のシート材を折り曲げて作製することができ、構成も簡単で安価に作製することができる。また、使用する前の状態（搬送時、保管時）には、下面を織り込んで全体を折り畳んでおくことができるのでコンパクトに収納することができる。
【考案の効果】
【００１０】
本考案によれば、使用者に装着する必要がなく簡単な構成で安価に作製でき、飛沫感染対策も十分に行うことが可能な折畳み式飛沫防止マウスシールドを提供することができる。
【図面の簡単な説明】
【００１１】
【図１】本考案の一実施形態の飛沫防止マウスシールドの斜視図である（使用時）。
【図２】図１のマウスシールド単体を示す斜視図である。
【図３】図１のマウスシールドを上方から見た平面図である。
【図４】図１のマウスシールドの展開図である。
【考案を実施するための形態】
【００１２】
以下、本考案の一形態について図面を参照しながら説明する。なお、以下で説明する具体的な形態や方法はあくまで本考案の一形態に係るものであり、本考案はこれに必ずしもこれに限定されるものではない。説明の都合上、「上」、「下」、「左」、「右」、「縦」、「横」といった方向に関する用語を用いるが、これらは本発明を何ら限定するものではない。
【００１３】
図１〜図４に示す飛沫防止マウスシールド１は、例えば使用者が食事中に口元を覆うのに用いられるものである。飛沫防止マウスシールド１は、一例として、一枚のシート材から作られ、未使用時には折り畳んでしまっておくことが可能となっている。
【００１４】
図１、図２に示すように、組立て状態では、飛沫防止マウスシールド１は立体的な形状を有し自立可能となっている。具体的には、この飛沫防止マウスシールド１は、垂直方向（縦方向）のシールド面３１と、その下部の下面３３とを有している。下面３３は、一例として水平方向（横方向）に広がる面であってもよい。なお、垂直や水平といった語句は説明上使用しているものであり、必ずしも、シールド面３１と下面３３とが直交している必要はない。
【００１５】
この飛沫防止マウスシールド１は、一例として、図１に示すようにシールド面３１の一部を手で持ち、マウスシールド１で口元を覆うことで飛沫の拡散を防止することができる。こうした飛沫の拡散を防ぐ役割を考慮すると、マウスシールド１は使用者の口元を十分に覆うことができるサイズに形成されていることが好ましい。例えば、シールド面３１の高さ寸法は５０ｍｍ以上１００ｍｍ以下程度、より具体的には５０ｍｍ以上８０ｍｍ以下程度であることが好ましい。
【００１６】
図１〜図３を参照すると、飛沫防止マウスシールド１は具体的には、二つ折りにされたシールド面３１を有しており、このシールド面３１は、左右対称に形成された第１の面３１Ｌと第２の面３１Ｒとを含んでいる。限定されるものではないが、これら２つの面は略９０度で折り曲げられていてもよい（図３参照）。各面３１Ｌ、３１Ｒは、その長辺が８０ｍｍ以上１５０ｍｍ以下、より具体的には９０ｍｍ以上１２０ｍｍ以下程度であることが好ましい。
【００１７】
各面３１Ｌ、３１Ｒの上隅部（角部）は、尖った直角形状としてもよいが、図２の例ではなだらかな円弧部Ｒが形成されている。こうすることで、マウスシールド１の使用時に上隅部が使用者の顔（例えば頬部）に当たっても痛みを与えることはなく安全な構成となる。
【００１８】
下面３３には、図３に分かりやすく示されているように、なだらかに湾曲した凹部３３Ｅが形成されている。下面３３のエッジをこのようになだらかな円弧状に窪ませた場合、直線的に形成した場合と比較してエッジが使用者の顎部に当たりにくくなり、マウスシールド１の使用時に不快感を与えにくいものとなる。
【００１９】
下面３３には、図３に示すようにその中央部に直線状の折り目３５が形成されている。この折り目３５に沿って下面３３を、第１の面３１Ｌおよび第２の面３１Ｒの間に挟み込むように織り込むことで、マウスシールド１全体を扁平に畳むことが可能となっている。
【００２０】
マウスシールド１の材質としては、プラスチックシートや紙を利用できるが、コストや使用後の処分の観点から紙であることが好ましく、特には、十分な強度をもった厚紙であることが好ましい。
【００２１】
本考案の飛沫防止マウスシールド１は、１枚のシート（紙）から作ることができる。図４に示すように、組立て前の状態では、第１の面３１Ｌと第２の面３１Ｒを含む形状となっている。第１の面３１Ｌに隣接して、下面となる第１の下面部分３３Ｌが形成され、第２の面３１Ｒに隣接して、第２の下面部分３３Ｒが形成されている。下面部分３３Ｌ、３３Ｒの間は切込みＣとなっている。
【００２２】
このようなシート（紙）を、下面部分３３Ｌ、３３Ｒが重なり合うように、第１の面３１Ｌと第２の面３１Ｒを折り曲げることで、図１、図２に示すような立体的形状の飛沫防止マウスシールド１を作製することができる。
【００２３】
下面部分３３Ｌ、３３Ｒは、例えば、のり付けやテープ、ステープラーなどによって固定してもよいし、または、所定の切れ目を設けておきこの切れ目に下面部分の一部を挿入することで組立てられるような構成としてもよい。
【００２４】
以上に説明したような本考案の飛沫防止マウスシールド１は、飛沫防止のための用具として種々の状況で使用することができる。例えば、飲食店においては、テーブル上にマウスシールド１を配置しておき使用者に利用を促すようにしてもよい。テーブルに複数人が居る場合、誰のマウスシールド１か分からなくなるのを防ぐために、それぞれのマウスシールド１を異なる色としてもよい。
【００２５】
本考案のマウスシールド１は、折り畳み式で、使用前には畳んで収納しておくことができるのでコンパクトに保管することができる。また、紙製の使い捨てのマウスシールド１とすることで、再利用のための消毒処理等も不要となる。
【００２６】
マウスシールド１のシールド面３１は、無地であってもよいが、広告やイラストといった表示を付してもよい。例えば、アルコール飲料メーカの広告を表示するものであってもよい。
【００２７】
マウスシールドとしては、持ち手を付けて口元にあてがうようなものも考えられる。本考案のマウスシールド１に持ち手となる部分を追加してもよい。もっとも、図１、図２に示したような構成のマウスシールド１によれば、構造が非常に簡単でコスト上のメリットがあるとともに、組立てが煩雑とならないという利点がある。
【００２８】
以上、本考案の一形態について説明したが、本考案は上述した具体的な形状・構造のものに限定されるものではなく、本考案の趣旨を逸脱しない範囲で適宜変更可能である。
【００２９】
（付記）
本出願は以下の内容を開示する：
縦方向の第１の面（３１Ｌ）および第２の面（３１Ｒ）が二つ折りに形成されシールド面（３１）と、
そのシールド面（３１）の下部から横方向に広がるように形成された下面（３３）と、
を備え、シールド面（３１）と下面（３３）とによって使用者の口部付近を覆う立体的形状が形成される飛沫防止マウスシールド（１）において、
前記下面（３３）は、その中央部に折り目（３５）が形成されていることによって、前記下面（３３）を第１および第２の面の間に挟み込むようにしてマウスシールド全体を折り畳むことができるようになっていることを特徴とする、飛沫防止マウスシールド（１）。
【００３０】
組立て時に、前記第１の面（３１Ｌ）と第２の面（３１Ｒ）とが略直角に交差し、
前記折れ線（３５）は、前記下面の縁側から、第１および第２の面の交点に向かって延びている。
【００３１】
第１の面（３１Ｌ）および第２の面（３２Ｌ）は、その上隅部がなだらかな曲線形状（一例で、曲率半径が１５ｍｍ以上の４分の１円弧）に形成されている。
【００３２】
前記下面（３３）には、当該下面が使用者の顎部に当たらないように、なだらかな曲線形状凹部が設けられている。
【００３３】
前記シールド面（３１）の高さが５０ｍｍ〜８０ｍｍの範囲内である。
【００３４】
本考案の飛沫防止マウスシールドは１枚の紙材を折り曲げて形成される。
【符号の説明】
【００３５】
１  飛沫防止マウスシールド
３１  シールド面
３３  下面
３３Ｅ  湾曲凹部
３５  折り目
Ｃ  切込み
【図１】
0003231147.tif 000003
【図２】
0003231147.tif 000004
【図３】
0003231147.tif 000005
【図４】
0003231147.tif 000006